(57)【要約】【課題】回路規模を増大させることなく、ＲＧＢ毎に個別のγ補正を施し、表示画面の色の再現性を高める。【解決手段】ＲＧＢ表示データをＲＧＢ毎に時分割してＲＧＢの各画素に書き込むことで表示を行う表示装置であって、時分割されたＲＧＢ表示データに応じて、複数のγ補正電圧の中から１つを選択して出力するＤＡ変換器１５０−１と、第１及び第２の参照電圧をＲＧＢ毎に異なる電圧にすることによりＲＧＢ毎にγ補正電圧を切り替えるγ補正電圧切り替え回路１６０と、ＤＡ変換器１５０−１の出力を選択的にＲＧＢの各画素に供給するスイッチ回路１８０と、を備え、ＲＧＢ毎に異なるγ補正を行うようにした。【選択図】　図１
2004053715.tif 000002
【特許請求の範囲】
【請求項１】
ＲＧＢ表示データをＲＧＢ毎に時分割してＲＧＢの各画素に書き込むことで表示を行う表示装置であって、
前記ＲＧＢ表示データの各書き込み期間毎に、異なるγ補正電圧を切り替えて出力するγ補正電圧切り替え回路を有することを特徴とする表示装置。
【請求項２】
ＲＧＢ表示データをＲＧＢ毎に時分割してＲＧＢの各画素に書き込むことで表示を行う表示装置であって、
時分割されたＲＧＢ表示データに応じて、第１及び第２の参照電圧の間で分圧されたアナログ電圧を出力するＤＡ変換器と、前記第１及び第２の参照電圧をＲＧＢ毎に異なる電圧に切り替えるγ補正電圧切り替え回路と、前記ＤＡ変換器の出力を選択的にＲＧＢの各画素に供給するスイッチ回路と、を備え、ＲＧＢ毎に異なるγ補正を行うようにしたことを特徴とする表示装置。
【請求項３】
ＲＧＢ表示データをＲＧＢ毎に時分割してＲＧＢの各画素に書き込むことで表示を行う表示装置であって、
入力されたＲＧＢ表示データを保持すると共に該ＲＧＢ表示データを時分割して出力するレジスタと、前記レジスタから出力されるＲＧＢ表示データに応じて、第１及び第２の参照電圧の間で分圧されたアナログ電圧を出力するＤＡ変換器と、前記第１及び第２の参照電圧をＲＧＢ毎に異なる電圧に切り替えるγ補正電圧切り替え回路と、前記ＤＡ変換器の出力を選択的にＲＧＢの各画素に供給するスイッチ回路と、を備え、ＲＧＢ毎に異なるγ補正を行うようにしたことを特徴とする表示装置。
【請求項４】
前記γ補正電圧切り替え回路は、ＲＧＢ毎に異なる３つの黒用参照電圧を発生する黒用参照電圧発生回路と、選択信号に応じて前記３つの黒用参照電圧のいずれか一つを切り替えて出力する第１のスイッチとを有し、前記第１のスイッチからの出力電圧を前記第１の参照電圧とすることを特徴とする請求項２又は３記載の表示装置。
【請求項５】
前記γ補正電圧切り替え回路は、ＲＧＢ毎に異なる３つの白用参照電圧を発生する白用参照電圧発生回路と、選択信号に応じて前記３つの白用参照電圧のいずれか一つを切り替えて出力する第２のスイッチとを有し、前記第２のスイッチからの出力電圧を前記第２の参照電圧とすることを特徴とする請求項２又は３記載の表示装置。
【請求項６】
ＲＧＢ表示データをＲＧＢ毎に時分割してＲＧＢの各画素に書き込むことで表示を行う表示装置のγ補正方法であって、
Ｒ表示データをＲ画素に書き込むステップと、Ｇ表示データをＧ画素に書き込むステップと、Ｂ表示データをＢ画素に書き込むステップと、を有し、前記各ステップ毎に、前記ＲＧＢ表示データ毎に異なるγ補正電圧に切り替えて、γ補正を行うことを特徴とする表示装置のγ補正方法。
【発明の詳細な説明】
【０００１】
【発明の属する技術分野】
本発明は液晶表示装置等の表示装置とそのγ補正方法に関し、特に、ＲＧＢ表示データをＲＧＢ毎に時分割してＲＧＢの各画素に書き込むことで表示を行う表示装置とそのγ補正方法に関する。
【０００２】
【従来の技術】
図６に従来の液晶表示装置の回路図を示す。表示領域１０は、ｎ行ｍ列マトリクスに配置された複数のＲＧＢ画素を備え、各ＲＧＢ画素は、画素選択トランジスタ、液晶及び補助容量から成っている。
【０００３】
画素選択トランジスタのゲートには、行方向に延びたゲートライン１１が接続され、そのドレインには、列方向に延びたドレインライン１２が接続されている。各行のゲートライン１１には垂直スキャナーのシフトレジスタ１３から垂直走査信号が順次供給され、これに応じて画素選択トランジスタが選択される。
【０００４】
また、第１列については、水平スキャナーのシフトレジスタ２０−１からの水平走査信号に応じて、第１列のＲＧＢ表示データがレジスタ２１−１に格納され、ＤＡ変換器２３−１に入力される。このＤＡ変換器２３−１のγ補正電圧はγ補正電圧発生回路２４から供給される。そして、ＤＡ変換器２３−１の出力はアンプ２５−１を通して、ドレインライン１２に供給され、選択された第１列のＲＧＢ画素に書き込まれる。第２列、第３列、・・・についても、同様に構成されているので説明を省略する。
【０００５】
図７にＤＡ変換器２３−１及びγ補正電圧発生回路２４の回路図を示す。ＤＡ変換器２３−１は、γ補正電圧発生回路２４の抵抗ストリング３０の各抵抗の接続点と出力端子３２との間に接続され、ＲＧＢ表示データに応じてオンオフするスイッチ群３３―１，３３−２・・・から構成されている。
【０００６】
また、γ補正電圧発生回路２４は、正極性黒用のγ補正電圧発生回路４０、負極性黒用のγ補正電圧発生回路４１、正極性白用のγ補正電圧発生回路４２、負極性白用のγ補正電圧発生回路４３、及び液晶のライン反転駆動を可能とするために、極性切り替え信号ＰＣに基づいて、これら４つの回路の出力を切り替えるスイッチ３４，３５、及び抵抗ストリング３０から構成されている。
【０００７】
極性切り替え信号ＰＣがＨＩＧＨのときは、正極性黒用のγ補正電圧発生回路４０の出力が黒用の参照電圧Ｖｒｅｆ（Ｂ）として抵抗ストリング３０の一端に出力されると共に、正極性白用のγ補正電圧発生回路４２の出力が白用の参照電圧Ｖｒｅｆ（Ｗ）として抵抗ストリング３０の他端に出力される。
【０００８】
極性切り替え信号ＰＣがＬＯＷのときは負極性黒用のγ補正電圧発生回路４１の出力が黒用の参照電圧Ｖｒｅｆ（Ｂ）として抵抗ストリング３０の一端に出力されると共に、負極性白用のγ補正電圧発生回路４３の出力が白用の参照電圧Ｖｒｅｆ（Ｗ）として抵抗ストリング３０の他端に出力される。
【０００９】
上述した表示装置の動作について、図８の動作タイミングを参照して説明すると、水平スタートパルスＨＳＴがシフトレジスタ２０−１，２０−２，２０−２によってシフトされ、水平走査信号Ｓ／Ｒ０−２が順次発生し、この信号に応じて時系列的に送られてくるＲＧＢ表示データがレジスタ２１−１，２１−２，２１−３に順に格納される。
【００１０】
そして、レジスタ２１−１，２１−２，２１−３ｌから出力されるＲＧＢ表示データは、ＤＡ変換器２３−１，２３−２，２３−３によってアナログ信号に変換され、同時にγ補正電圧発生回路２４からのγ補正電圧に基づいてγ補正が施された後、ドレインライン１２０を通して選択されたＲＧＢの各画素に書き込まれる。
【００１１】
【発明が解決しようとする課題】
上述した表示装置では、ＲＧＢ表示データの各ＲＧＢについて同じγ補正電圧を用いてγ補正を施していた。このため、ＲＧＢの各色の再現性が劣るという問題があった。一方で、ＲＧＢ毎に個別のγ補正をするために、個別にγ補正回路を設けると、回路規模が増大するという問題があった。
【００１２】
【課題を解決するための手段】
そこで、本発明はＲＧＢ表示データをＲＧＢ毎に時分割してＲＧＢの各画素に書き込むことで表示を行う表示装置であって、前記ＲＧＢ表示データの各書き込み期間毎に、異なるγ補正電圧を切り替えて出力するγ補正電圧切り替え回路を有することを特徴とするものである。これにより、回路規模を増大させることなく、ＲＧＢ毎に個別のγ補正を施し、表示画面の色の再現性を高めることができる。
【００１３】
【発明の実施の形態】
第１の実施形態
図１に本発明の液晶表示装置の回路図を示す。表示領域１００は、ｎ行ｍ列マトリクスに配置された複数のＲＧＢ画素を備え、各ＲＧＢ画素は、画素選択トランジスタ、液晶及び補助容量から成っている。
【００１４】
画素選択トランジスタのゲートには、行方向に延びたゲートライン１１０が接続され、そのドレインには、列方向に延びたドレインライン１２０が接続されている。各行のゲートライン１１０には垂直スキャナーのシフトレジスタ１３０から垂直走査信号が順次供給され、これに応じて画素選択トランジスタが選択される。
【００１５】
また、第１列について、水平スキャナーのシフトレジスタ１４０−１からの水平走査信号に応じて、パラレル入力されるＲＧＢ表示データがレジスタ１４１−２に格納される。第２列については、水平スキャナーのシフトレジスタ１４０−２からの水平走査信号に応じて、パラレル入力されるＲＧＢ表示データがレジスタ１４１−２に格納される。以下の列についても同様である。
【００１６】
こうして、１Ｈ期間をかけて、ＲＧＢ表示データが各レジスタ１４１−１，１４１−２・・・に取り込まれる。ここで、ＲＧＢ表示データはＲＧＢの各ビットが例えば６ビットであり、各レジスタ１４１−１，１４１−２・・・は、そのようなＲＧＢ表示データを格納することができるビット構成を有している。
【００１７】
各レジスタ１４１−１，１４１−２・・に格納されたＲＧＢ表示データは次の１Ｈ期間中の、Ｒ書き込み期間、Ｇ書き込み期間、Ｂ書き込み期間の各書き込み期間に、対応するＲＧＢ表示データをそれぞれ出力する。
【００１８】
第１列に着目すると、上記各書き込み期間に第１列のレジスタ１４１−１から出力されたＲＧＢ表示データは、スイッチ１４３−１によって選択され、ＤＡ変換器１５０−１に入力される。ＤＡ変換器１５０−１には、Ｒ選択信号ＲＳＥＬ、Ｇ選択信号ＧＳＥＬ、Ｂ選択信号ＢＳＥＬに応じて、γ補正電圧切り替え回路１６０の内部で生成されたγ補正電圧がＲＧＢ毎に切り替えて供給される。そして、これらのγ補正電圧がＲＧＢに応じて切り替えられることにより、ＲＧＢ毎に個別にγ補正がなされる。
【００１９】
そして、ＤＡ変換器１５０−１の出力、つまりアナログ変換及びＲＧＢ個別にγ補正がなされた信号は、アンプ１７０−１を通して、スイッチ回路１８０に印加される。スイッチ回路１８０は、Ｒ書き込みイネーブル信号Ｒ　ＥＮＢ、Ｇ書き込みイネーブル信号ＧＥＮＢ、Ｂ書き込みイネーブル信号ＢＥＮＢ、に応じてそれぞれスイッチングする３つのスイッチＳＷ１，ＳＷ２，ＳＷ３から構成されている。３つのスイッチＳＷ１，ＳＷ２，ＳＷ３は例えばＮチャネル型ＴＦＴで構成される。
【００２０】
Ｒ書き込み期間では、Ｒ書き込みイネーブル信号ＲＥＮＢがＨＩＧＨとなり、スイッチＳＷ１はオン、スイッチＳＷ２，ＳＷ３はオフであるため、個別にγ補正されたＲアナログ信号が、選択されたＲ画素に書き込まれる。
【００２１】
同様に、Ｇ書き込み期間では、Ｇ書き込みイネーブル信号ＧＥＮＢがＨＩＧＨとなり、スイッチＳＷ２はオン、スイッチＳＷ１，ＳＷ３はオフであるため、個別にγ補正されたＧアナログ信号が、選択されたＧ画素に書き込まれる。Ｂ書き込み期間では、Ｂ書き込みイネーブル信号ＢＥＮＢがＨＩＧＨとなり、スイッチＳＷ３はオン、スイッチＳＷ１，ＳＷ２はオフであるため、個別にγ補正されたＢアナログ信号が、選択されたＲ画素に書き込まれる。他の列の構成についても全く同様である。
【００２２】
次に、上記ＤＡ変換器１５０−１及び補正電圧切り替え回路１６０の構成について図２を参照しながら説明する。なお、図は第１列のＤＡ変換器１５０−１を示しているが、他の列のＤＡ変換器１５０−２，・・・の構成についても全く同様である。
【００２３】
ＤＡ変換器１５０−１は、補正電圧切り替え回路１６０の抵抗ストリング１５１の各抵抗の接続点と出力端子１５２との間に接続され、ＲＧＢ表示データに応じてオンオフするスイッチ群１５３−１，１５３−２・・・から構成されている。
【００２４】
また、γ補正電圧切り替え回路１６０は、正極性黒用のγ補正電圧発生回路１６１、負極性黒用のγ補正電圧発生回路１６２、正極性白用のγ補正電圧発生回路１６３、負極性白用のγ補正電圧発生回路１６４、及び抵抗ストリング１５１から構成されている。
【００２５】
正極性黒用のγ補正電圧発生回路１６１は、抵抗分圧回路により、それぞれ異なるＲ用γ補正電圧ＶＲ（Ｐ）、Ｇ用γ補正電圧ＶＧ（Ｐ）、Ｂ用γ補正電圧ＶＢ（Ｐ）を発生する。そして、Ｒ選択信号ＲＳＥＬ、Ｇ選択信号ＧＳＥＬ、Ｂ選択信号ＢＳＥＬに応じて、Ｒ用γ補正電圧ＶＲ（Ｐ）、Ｇ用γ補正電圧ＶＧ（Ｐ）、Ｂ用γ補正電圧ＶＢ（Ｐ）にいずれか１つのγ補正電圧が選択される。例えば、Ｒ選択信号ＲＳＥＬがＨＩＧＨ、Ｇ選択信号ＧＳＥＬ、Ｂ選択信号ＢＳＥＬがＬＯＷの場合にはＲ用γ補正電圧ＶＲ（Ｐ）が選択出力される。
【００２６】
また、負極性黒用のγ補正電圧発生回路１６２、正極性白用のγ補正電圧発生回路１６３、負極性白用のγ補正電圧発生回路１６４についても、同様にして、Ｒ選択信号ＲＳＥＬ、Ｇ選択信号ＧＳＥＬ、Ｂ選択信号ＢＳＥＬに応じて、異なるγ補正電圧が選択出力されるように構成されている。
【００２７】
さらに、液晶のライン反転駆動を可能とするために、極性切り替え信号ＰＣに基づいて、これら４つの回路の出力を切り替えるスイッチＳＷＡ，ＳＷＢが設けられている。極性切り替え信号ＰＣがＨＩＧＨのときは正極性黒用のγ補正電圧発生回路１６１の出力がスイッチ１６５及びＳＷＡを通して、黒用の参照電圧Ｖｒｅｆ（Ｂ）として抵抗ストリング１５１の一端に印加され、正極性白用のγ補正電圧発生回路１６３の出力がスイッチ１６７及びＳＷＢを通して、白用の参照電圧Ｖｒｅｆ（Ｗ）として抵抗ストリング１５１の他端に印加される。
【００２８】
極性切り替え信号ＰＣがＬＯＷのときは負極性黒用のγ補正電圧発生回路１６２の出力が、スイッチ１６６及びＳＷＡを通して黒用の参照電圧Ｖｒｅｆ（Ｂ）として、抵抗ストリング１５１の一端に印加され、負極性白用のγ補正電圧発生回路１６４の出力がスイッチ１６８及びＳＷＢを通して白用の参照電圧Ｖｒｅｆ（Ｗ）として抵抗ストリング１５１の他端に印加される。
【００２９】
次に、上述した構成の表示装置の動作例について、図３の動作タイミング図を参照しながら説明する。いま、１Ｈ期間前に、レジスタ群１４１−１，１４１−２，・・・には、それぞれ所望のＲＧＢ表示データが取り込まれているものとする。
【００３０】
まずＲ書き込みイネーブル信号がＨＩＧＨとなる。すると、レジスタ群１４１−１，１４２−２，・・・からＲ表示データが一斉に出力される。また、スイッチ回路１８０のスイッチＳＷ１のみがオンする。
【００３１】
なお、この１Ｈ期間において極性切り替え信号ＰＣはＨＩＧＨ（正極性切り替え）とする。Ｒ書き込みイネーブル信号がＨＩＧＨとなる期間に、Ｒ表示データのＲ画素への書き込みが行われるので、この期間をＲ書き込み期間という。
【００３２】
このＲ書き込み期間に、Ｒ選択信号ＲＳＥＬがＨＩＧＨとなり、スイッチ１６５により正極性のＲ用γ補正電圧ＶＲ（Ｐ）が選択され、これが黒用の参照電圧Ｖｒｅｆ（Ｂ）としてスイッチＳＷＡを通して、抵抗ストリング１５１の一端に印加される。同時に、スイッチ１６７により正極性のＲ用γ補正電圧ＶＲ（Ｐ）’が選択され、これが白用の参照電圧Ｖｒｅｆ（Ｗ）としてスイッチＳＷＢを通して、抵抗ストリング１５１の他端に印加される。抵抗ストリング１５１で生成されたγ補正電圧はＤＡ変換器１５０−１，１５０−２，・・・に印加される。
【００３３】
そして、上記γ補正電圧に基づきＲ表示データに応じたＤＡ変換がなされる。そして、Ｒアナログ信号はアンプ１７０−１，１７０−２、スイッチＳＷ１及びドレインライン１２０を通して、選択された行のＲ画素に書き込まれる。
【００３４】
次に、Ｒ書き込みイネーブル信号ＲＥＮＢがＬＯＷに変化した後、Ｇ書き込みイネーブル信号ＧＥＮＢがＨＩＧＨに立ち上がる。すると、Ｇ書き込み期間となり、レジスタ群１４１−１，１４２−２，・・・からＧ表示データが一斉に出力される。また、スイッチ回路１８０のスイッチＳＷ２のみがオン状態となる。
【００３５】
このＧ書き込み期間に、Ｇ選択信号ＧＳＥＬがＨＩＧＨとなり、スイッチ１６５により正極性のＧ用γ補正電圧ＶＧ（Ｐ）が選択され、これが黒用の参照電圧Ｖｒｅｆ（Ｂ）としてスイッチＳＷＡを通して、抵抗ストリング１５１の一端に印加される。同時に、スイッチ１６７により正極性のＲ用γ補正電圧ＶＧ（Ｐ）’が選択され、これが白用の参照電圧Ｖｒｅｆ（Ｗ）としてスイッチＳＷＢを通して、抵抗ストリング１５１の他端に印加される。抵抗ストリング１５１で生成されたγ補正電圧はＤＡ変換器１５０−１，１５０−２，・・・に印加される。
【００３６】
そして、上記γ補正電圧に基づきＧ表示データに応じたＤＡ変換がなされる。そして、Ｇアナログ信号はアンプ１７０−１，１７０−２、スイッチＳＷ２及びドレインライン１２０を通して、選択された行のＧ画素に書き込まれる。
【００３７】
次に、Ｇ書き込みイネーブル信号ＧＥＮＢがＬＯＷに変化した後、Ｂ書き込みイネーブル信号ＢＥＮＢがＨＩＧＨに立ち上がる。すると、Ｂ書き込み期間となり、レジスタ群１４１−１，１４２−２，・・・からＢ表示データが一斉に出力される。また、スイッチ回路１８０のスイッチＳＷ３のみがオン状態となる。
【００３８】
このＢ書き込み期間に、Ｂ選択信号ＢＳＥＬがＨＩＧＨとなり、スイッチ１６５により正極性のＢ用γ補正電圧ＶＢ（Ｐ）が選択され、これが黒用の参照電圧Ｖｒｅｆ（Ｂ）としてスイッチＳＷＡを通して、抵抗ストリング１５１の一端に印加される。同時に、スイッチ１６７により正極性のＢ用γ補正電圧ＶＢ（Ｐ）’が選択され、これが白用の参照電圧Ｖｒｅｆ（Ｗ）としてスイッチＳＷＢを通して、抵抗ストリング１５１の他端に印加される。抵抗ストリング１５１で生成されたγ補正電圧はＤＡ変換器１５０−１，１５０−２，・・・に印加される。
【００３９】
そして、上記γ補正電圧に基づきＢ表示データに応じたＤＡ変換がなされる。そして、Ｂアナログ信号はアンプ１７０−１，１７０−２、スイッチＳＷ２及びドレインライン１２０を通して、選択された行のＢ画素に書き込まれる。
【００４０】
次の１Ｈ期間でも同様の動作であるが、極性切り替え信号ＰＣはＬＯＷに変化し、γ補正電圧切り替え回路１６０からは、負正極性のγ補正電圧が切り替え出力される点が異なる。
【００４１】
なお上記動作例において、Ｒ選択信号ＲＳＥＬがＲ書き込みイネーブル信号ＲＥＮＢより先にＨＩＧＨに立ち上がるようにすることが好ましい。これは、γ補正電圧の切り替えがされた後に、Ｒ画素への書き込みを行うようにして、正確なγ補正を行うためである。同様の理由で、Ｒ選択信号ＲＳＥＬがＲ書き込みイネーブル信号ＲＥＮＢより後にＬＯＷに立ち下がるようにすることが好ましい。
【００４２】
Ｇ選択信号ＧＳＥＬとＧ書き込みイネーブル信号ＧＥＮＢとの関係、Ｂ選択信号ＢＳＥＬとＢ書き込みイネーブル信号ＢＥＮＢとの関係についても同様である。
【００４３】
本実施形態によれば、γ補正電圧切り替え回路１６０により、γ補正電圧をＲＧＢ毎に切り替えることでＲＧＢ個別にγ補正行うようにした。したがって、それぞれのγ補正電圧をＲＧＢに対応して最適に設定することで液晶表示装置の色の再現性を向上することができる。また、時分割書き込み方式を採用していることで、ＲＧＢ毎にγ補正回路を設ける必要がなくなり、回路規模の増大を抑えることができる。
【００４４】
第２の実施形態
本実施形態では、１Ｈ期間中に、ＲＧＢ表示データの書き込み期間の時分割数を２倍に増やすことで、回路規模をより小さくしたものである。それぞれの書き込み期間毎にγ補正電圧を切り替えている点は、第１の実施形態と同様である。
【００４５】
図４は、本実施形態の液晶表示装置の回路図である。第１の実施形態の回路と異なる点は、ＲＧＢ表示データの書き込みの時分割数を増やしたことに伴い、書き込みイネーブル信号の数と、書き込みイネーブル信号によってオンオフが制御されるスイッチの数が２倍に増加する点である。ただし、ＤＡ変換器やアンプは６列の画素に対して１つずつ設ければよいので、画素の周辺回路の回路規模を縮小することができる。
【００４６】
書き込みイネーブル信号は、第１Ｒ書き込み信号ＲＥＮＢ１，第１Ｇ書き込み信号ＧＥＮＢ１、第１Ｂ書き込み信号ＢＥＮＢ１、第２Ｒ書き込み信号ＲＥＮＢ２，第２Ｇ書き込み信号ＧＥＮＢ２、第２Ｂ書き込み信号ＢＥＮＢ２の６信号である。また、上記の６つの書き込みイネーブル信号によって、それぞれ制御されるスイッチは、ＳＷ１〜ＳＷ６の６個である。
【００４７】
なお、図４において、シフトレジスタＳ／Ｒ０、レジスタ１４１−１、バッファ１４３−１、ＤＡ変換器１５０−１、アンプ１７０−１は１列分のみを図示しているが、図示しない他の列についても同様の構成である。
【００４８】
次に、本実施形態の液晶表示装置の動作例について、図５の動作タイミング図を参照しながら説明する。なお、以下の説明は図４の第１列について説明するが、他の列についても全く同様である。いま、１Ｈ期間前に、レジスタ１４１−１には、それぞれ所望のＲＧＢ表示データが取り込まれているものとする。
【００４９】
そして、１Ｈ期間中、第１Ｒ書き込み信号ＲＥＮＢ１，第１Ｇ書き込み信号ＧＥＮＢ１、第１Ｂ書き込み信号ＢＥＮＢ１、第２Ｒ書き込み信号ＲＥＮＢ２，第２Ｇ書き込み信号
ＧＥＮＢ２、第２Ｂ書き込み信号ＢＥＮＢが順番にＨＩＧＨに立ち上がる。
【００５０】
また、Ｒ選択信号ＲＳＥＬは、２つのＲ書き込み期間でＨＩＧＨとなり、Ｇ選択信号ＧＳＥＬは、２つのＧ書き込み期間でＨＩＧＨとなり、Ｂ選択信号ＢＳＥＬは、２つのＢ書き込み期間でＨＩＧＨとなる。
【００５１】
これにより、それぞれの書き込み期間において、第１の実施形態と同様に、ＲＧＢ毎に異なるγ補正電圧に切り替えられ、ＲＧＢ毎に適切なγ補正が行われる。なお、本実施形態では、ＲＧＢ表示データの書き込み期間をそれぞれ２期間ずつに時分割しているが、時分割数をさらに増やすこともできる。
【００５２】
また、第１及び第２の実施形態では、１Ｈ期間中で、ＲＧＢ表示データ書き込みを時分割しているが、本発明はこれには限られず、１Ｖ期間中でＲＧＢ表示データ書き込みを時分割する、いわゆるフィールドシーケンシャルの液晶表示装置にも適用することができる。このフィールドシーケンシャルの液晶表示装置は、１画面分のＲＧＢ表示データをフィールドメモリに記憶しておき、例えばＲ、Ｇ、Ｂの順に１Ｖ期間中に、時分割書き込みを行う。この場合には、ＲＧＢに対応したγ補正電圧の切り替えは、１Ｖ期間中に３回行えばよいので、その切り替え回数を減少することができる。
【００５３】
さらに、上記第１及び第２の実施形態では液晶表示装置への適用例について説明したが、本発明はこれに限られることなく、ＲＧＢ表示データをＲＧＢ毎に時分割して書き込みをするタイプのエレクトロルミネッセンス表示装置、例えば有機ＥＬ表示装置にも同様に適用することができるものである。
【００５４】
【発明の効果】
本発明によれば、ＲＧＢ表示データを時分割して各画素に書き込む時分割型の表示装置に好適に適用されるものであり、ＲＧＢ表示データの書き込み期間毎に、γ補正電圧を切り替えて個別に適切なγ補正を行うようにした。これにより、回路規模の増大を招くことなく、表示画面の色の再現性を高めることができる。
【図面の簡単な説明】
【図１】本発明の第１の実施形態に係る液晶表示装置の回路図である。
【図２】ＤＡ変換器及び補正電圧切り替え回路の回路図である。
【図３】本発明の第１の実施形態に係る液晶表示装置の動作タイミング図である。
【図４】本発明の第２の実施形態に係る液晶表示装置の回路図である。
【図５】本発明の第２の実施形態に係る液晶表示装置の動作タイミング図である。
【図６】従来の液晶表示装置の回路図である。
【図７】ＤＡ変換器及びγ補正電圧発生回路の回路図である。
【図８】従来の液晶表示装置の動作タイミング図である。
【符号の説明】
１００　表示領域　　１１０　ゲートライン　　１２０　ドレインライン
１３０　垂直スキャナー　　１４０−１，１４０−２　シフトレジスタ
１４１−１，１４１−２　レジスタ　　１４３−１，１４３−２　バッファ　　１５０−１，１５０−２　ＤＡ変換器　　１６０　γ補正電圧切り替え回路
１７０−１，１７０−２　アンプ
【図１】
2004053715.tif 000003
【図２】
2004053715.tif 000004
【図３】
2004053715.tif 000005
【図４】
2004053715.tif 000006
【図５】
2004053715.tif 000007
【図６】
2004053715.tif 000008
【図７】
2004053715.tif 000009
【図８】
2004053715.tif 000010